(57)【要約】【課題】絶縁体を電力ケーブルに挿入する際に、電力ケーブルが曲がったり軸方向に沿って座屈するのを防止してスムーズに絶縁体を電力ケーブルに装着することができ、絶縁体の装着作業の効率を上げることができる電力ケーブルにおける絶縁体の挿入工具および電力ケーブルにおける絶縁体の挿入方法を提供する。【解決手段】電力ケーブルにおける絶縁体の挿入工具１は、電力ケーブル１００のケーブル導体１０２と、ケーブル導体１０２から離れた位置にある固定部位１７との間を連結して、電力ケーブル１００に対して張力付加方向Ｔに沿って張力をかける張力付加部２１と、張力付加方向Ｔとは反対方向の引っ張り方向Ｓに沿って絶縁体２を引っ張ることで、電力ケーブル１００の絶縁被覆１０１の外周面に対して絶縁体２を挿入するための絶縁体挿入部８０とを備える。【選択図】図１
2009232572.tif 000002
【特許請求の範囲】
【請求項１】
電力ケーブルの絶縁被覆の外周面に対して円筒状の絶縁体を挿入する電力ケーブルにおける絶縁体の挿入工具であって、
前記電力ケーブルのケーブル導体と、前記ケーブル導体から離れた位置にある固定部位との間を連結して、前記電力ケーブルに対して張力付加方向に沿って張力をかける張力付加部と、
前記張力付加方向とは反対方向の引っ張り方向に沿って前記ケーブル導体を引っ張ることで、前記電力ケーブルの前記絶縁被覆の外周面に対して前記絶縁体を挿入するための絶縁体挿入部と、
を備えることを特徴とする電力ケーブルにおける絶縁体の挿入工具。
【請求項２】
前記張力付加部は、
前記ケーブル導体に固定された導体引出部材と、
前記導体引出部材と前記固定部位を接続する連結部材と、
前記導体引出部材を覆って前記絶縁体挿入部を案内するガイド治具と、を備えることを特徴とする請求項１に記載の電力ケーブルにおける絶縁体の挿入工具。
【請求項３】
前記張力付加部は、
前記ケーブル導体に固定されたガイド用部材と、
前記ガイド用部材と前記固定部位を接続する連結部材と、を備えることを特徴とする請求項１に記載の電力ケーブルにおける絶縁体の挿入工具。
【請求項４】
前記張力付加部は、
前記ケーブル導体に固定された導体接続管と、
前記導体接続管と前記固定部位を接続する連結部材と、
前記導体接続管を覆って前記絶縁体挿入部を案内するガイド治具と、を備えることを特徴とする請求項１に記載の電力ケーブルにおける絶縁体の挿入工具。
【請求項５】
前記絶縁体挿入部は、
前記絶縁体に突き当てられる挿入治具と、
前記挿入治具を前記引っ張り方向に沿って引っ張る線状部材と、
を備えることを特徴とする請求項１〜請求項４のいずれか１つの項に記載の電力ケーブルにおける絶縁体の挿入工具。
【請求項６】
前記張力付加部の前記連結部材は、
牽引ボルトと、
前記牽引ボルトと前記固定部位との間を接続するチェーンとを有することを特徴とする請求項１〜請求項５のいずれか１つの項に記載の電力ケーブルにおける絶縁体の挿入工具。
【請求項７】
電力ケーブルの絶縁被覆の外周面に対して円筒状の絶縁体を挿入する電力ケーブルにおける絶縁体の挿入方法であって、
前記電力ケーブルのケーブル導体と、前記ケーブル導体から離れた位置にある固定部位との間を連結して、前記電力ケーブルに対して張力付加方向に沿って張力をかける張力付加工程と、
前記張力付加方向とは反対方向の引っ張り方向に沿って前記ケーブル導体を引っ張ることで、前記電力ケーブルの前記絶縁被覆の外周面に対して前記絶縁体を挿入するための絶縁体挿入工程と、
を含むことを特徴とする電力ケーブルにおける絶縁体の挿入方法。
【発明の詳細な説明】
【技術分野】
【０００１】
本発明は、電力ケーブルにおける絶縁体の挿入工具および電力ケーブルにおける絶縁体の挿入方法に関し、特に電力ケーブルの外周部に円筒状の絶縁体を挿入するための電力ケーブルにおける絶縁体の挿入工具および電力ケーブルにおける絶縁体の挿入方法に関する。
【背景技術】
【０００２】
電力ケーブルの絶縁被覆の外周面には、円筒状のプレモールド絶縁体を挿入する作業がある。プレモールド絶縁体が電力ケーブルの絶縁被覆の外周面に挿入される場合には、プレモールド絶縁体の穴の内径に比べて電力ケーブルの絶縁被覆の外径が大きい。このため、作業者が人力により電力ケーブルの絶縁被覆の外周面に対してプレモールド絶縁体を挿入することが困難である。
【０００３】
電力ケーブルに関連して、電力ケーブルに対してストレスコーンを装着することが特許文献１〜特許文献４に開示されている。特許文献１では、ストレスコーンが導体引出棒を有する電力ケーブルに対して装着されることが開示されている。特許文献２では、電力ケーブルに対してストレスコーンを挿入することが開示されている。特許文献３では、電力ケーブルに対してストレスコーンを装着する装着具が開示されている。特許文献４では、ウインチ装置によりワイヤを牽引して、台車部材をケーブルに向けて接近させながら、ゴムコーン部材の内部にケーブルを挿入することが開示されている。
【特許文献１】特開平５−２１９６２５号公報
【特許文献２】特開２００３−９２８１４号公報
【特許文献３】特開平５−３２８５６３号公報
【特許文献４】特開平７−４３４１２号公報
【発明の開示】
【発明が解決しようとする課題】
【０００４】
しかしながら、特許文献１に開示されている技術では、ストレスコーンが導体引出棒を有する電力ケーブルに装着されるだけである。特許文献２に開示されている装置を用いて、プレモールド絶縁体を電力ケーブルの外周部に挿入しようとすると、プレモールド絶縁体の穴の径に比べて電力ケーブルの絶縁被覆の外径が大きいので、電力ケーブルが曲がったりあるいは軸方向に沿って座屈してしまうおそれがある。
【０００５】
特許文献３に開示されている装置を用いてプレモールド絶縁体を電力ケーブルの外周部に挿入しようとすると、プレモールド絶縁体の先端に加える張力のバランスが崩れると、電力ケーブルが曲がったりあるいは軸方向に沿って座屈してしまうおそれがある。特許文献４に開示されている装置を用いると、ウインチ装置と台車部材が必要になり大がかりな装置となり、コスト高になる。
【０００６】
そこで、本発明は上記課題を解消するために、絶縁体を電力ケーブルに挿入する際に、電力ケーブルが曲がったり軸方向に沿って座屈するのを防止してスムーズに絶縁体を電力ケーブルに装着することができ、絶縁体の装着作業の効率を上げることができる電力ケーブルにおける絶縁体の挿入工具および電力ケーブルにおける絶縁体の挿入方法を提供することを目的とする。
【課題を解決するための手段】
【０００７】
上記課題を解消するために、本発明の電力ケーブルにおける絶縁体の挿入工具は、電力ケーブルの絶縁被覆の外周面に対して円筒状の絶縁体を挿入する電力ケーブルにおける絶縁体の挿入工具であって、
前記電力ケーブルのケーブル導体と、前記ケーブル導体から離れた位置にある固定部位との間を連結して、前記電力ケーブルに対して張力付加方向に沿って張力をかける張力付加部と、
前記張力付加方向とは反対方向の引っ張り方向に沿って前記ケーブル導体を引っ張ることで、前記電力ケーブルの前記絶縁被覆の外周面に対して前記絶縁体を挿入するための絶縁体挿入部と、を備えることを特徴とする。
【０００８】
本発明の電力ケーブルにおける絶縁体の挿入工具は、好ましくは前記張力付加部は、
前記ケーブル導体に固定された導体引出部材と、
前記導体引出部材と前記固定部位を接続する連結部材と、
前記導体引出部材を覆って前記絶縁体挿入部を案内するガイド治具と、を備えることを特徴とする。
【０００９】
本発明の電力ケーブルにおける絶縁体の挿入工具は、好ましくは前記張力付加部は、
前記ケーブル導体に固定されたガイド用部材と、
前記ガイド用部材と前記固定部位を接続する連結部材と、を備えることを特徴とする。
本発明の電力ケーブルにおける絶縁体の挿入工具は、好ましくは前記張力付加部は、
前記ケーブル導体に固定された導体接続管と、
前記導体接続管と前記固定部位を接続する連結部材と、
前記導体接続管を覆って前記絶縁体挿入部を案内するガイド治具と、を備えることを特徴とする。
【００１０】
本発明の電力ケーブルにおける絶縁体の挿入工具は、好ましくは前記絶縁体挿入部は、
前記絶縁体に突き当てられる挿入治具と、
前記挿入治具を前記引っ張り方向に沿って引っ張る線状部材と、
を備えることを特徴とする。
本発明の電力ケーブルにおける絶縁体の挿入工具は、好ましくは前記張力付加部の前記連結部材は、
牽引ボルトと、
前記牽引ボルトと前記固定部位との間を接続するチェーンとを有することを特徴とする。
【００１１】
本発明の電力ケーブルにおける絶縁体の挿入方法は、電力ケーブルの絶縁被覆の外周面に対して円筒状の絶縁体を挿入する電力ケーブルにおける絶縁体の挿入方法であって、
前記電力ケーブルのケーブル導体と、前記ケーブル導体から離れた位置にある固定部位との間を連結して、前記電力ケーブルに対して張力付加方向に沿って張力をかける張力付加工程と、
前記張力付加方向とは反対方向の引っ張り方向に沿って前記ケーブル導体を引っ張ることで、前記電力ケーブルの前記絶縁被覆の外周面に対して前記絶縁体を挿入するための絶縁体挿入工程と、を含むことを特徴とする。
【発明の効果】
【００１２】
本発明によれば、絶縁体を電力ケーブルに挿入する際に、電力ケーブルが曲がったり軸方向に沿って座屈するのを防止してスムーズに絶縁体を電力ケーブルに装着することができ、絶縁体の装着作業の効率を上げることができる。
【発明を実施するための最良の形態】
【００１３】
以下、図面を参照して、本発明の好ましい実施形態を詳細に説明する。
（第１実施形態）
図１は、本発明の電力ケーブルにおける絶縁体の挿入工具の好ましい第１実施形態と、絶縁体の挿入対象である電力ケーブルを示している。
図１に示す絶縁体の挿入工具１は、電力ケーブル１００の絶縁被覆１０１の外周面に対して、例えばプレモールド絶縁体２を挿入するための工具である。図１に示す電力ケーブルにおける絶縁体の挿入工具１は、主に電力ケーブルの終端接続箱に適用される。終端接続箱の場合には、電力ケーブル１００は垂直方向に配置される。
【００１４】
まず、絶縁体の挿入工具１を説明する前に、電力ケーブル１００とプレモールド絶縁体２の形状について説明する。
電力ケーブル１００は、ケーブル導体１０２と、このケーブル導体１０２の周囲を覆っている絶縁被覆１０１等を有しており、ケーブル導体１０２の先端部が絶縁被覆１０１から所定長さ分だけ露出されている。
【００１５】
図２は、図１に示すプレモールド絶縁体２を示す斜視図である。
図１と図２に示すように、プレモールド絶縁体２は、ほぼ円筒状の電気絶縁性を有する部材であり、例えばシリコンゴムにより形成されている。プレモールド絶縁体２は、大径部２Ｄと小径部２Ｓを有している。プレモールド絶縁体２は、貫通孔２Ｈを有しており、この貫通孔２Ｈの内径Ｄ１は、図１に示す電力ケーブル１００の絶縁被覆１０１の外径Ｄ２に比べて小さい。
【００１６】
次に、図１を参照して、電力ケーブルにおける絶縁体の挿入工具１の構造を説明する。
絶縁体の挿入工具１は、絶縁体の挿入治具とも呼ぶことができ、張力付加部２１と、絶縁体挿入部８０とを有している、
図１に示すように、張力付加部２１は、電力ケーブル１００のケーブル導体１０２と、ケーブル導体１０２から離れた位置にある固定部位１７との間を連結して、電力ケーブル１００に対して張力付加方向Ｔに沿って張力をかける。
【００１７】
絶縁体挿入部８０は、張力付加方向Ｔとは反対方向の引っ張り方向（挿入方向とも言う）Ｓに沿ってプレモールド絶縁体２を引っ張ることで、電力ケーブル１００の絶縁被覆１０１の外周面に対して機械力を用いてプレモールド絶縁体２を挿入する。
張力付加部２１は、導体引出部材３と、牽引ボルトであるアイボルト１２と、チェーン１０と、チェーンブロック７と、そしてガイド治具１４を有している。また、絶縁体挿入部８０は、チェーン８，９と、プレモールド絶縁体挿入治具１１と、当て部材３０と、そしてクリート４を有している。
【００１８】
まず、図１に示す張力付加部２１について説明する。
張力付加部２１の導体引出部材３は、棒状部材であり、導体引出部材３の先端部３Ｂには雌ねじ部３Ｃが形成されている。アイボルト１２の雄ねじ部１３は、雌ねじ部３Ｃにねじ込まれることで固定されている。導体引出部材３の内端部３Ｄには断面円形状の穴部３Ｆが形成されており、この穴部３Ｆにはケーブル導体１０２を圧縮して固定している。
【００１９】
ガイド治具１４は、ほぼ円筒状の部材であり、このガイド治具１４は導体引出部材３の中間部分３Ｇと内端部３Ｄと絶縁被覆１０１の一部を覆うようにして配置されている。ガイド治具１４のテーパー部分１４Ｂは、導体引出部材３の中間部分３Ｇの外周面に密着されている。このテーパー部分１４Ｂは、プレモールド絶縁体挿入治具１１を通す際のガイド部材の役割を果たす。ガイド治具１４の外径は絶縁被覆１０１の外径と同じである。
【００２０】
チェーン１０は、その途中にチェーンブロック７を有しており、このチェーン１０の一端部１５は、リング部材１６を有している。このリング部材１６は、架台や建物等に支持したパイプ等の固定部位１７に固定しておくための部材である。
なお、リング部材１６がこのようなパイプ等の固定部位１７に固定するのが困難な場合には、このリング部材１６は、クレーン車等で吊っておくこともできる。
【００２１】
チェーン１０の他端部１８は、リング部材１９を有している。このリング部材１９は、アイボルト１２のリング部材２０に対して連結されている。
なお、張力付加部２１は、導体引出部材３の引き留めるための引き留め機構部とも呼ぶことができる。
【００２２】
次に、図１に示す絶縁体挿入部８０を説明する。
図１に示す絶縁体挿入部８０のチェーン８の途中にはチェーンブロック５が設けられており、チェーン８の一端部２２は、リング部材２３を有しており、他端部２４は、リング部材２５を有している。同様にして、チェーン９の途中にはチェーンブロック６が設けられており、チェーン９の一端部２６は、リング部材２７を有しており、他端部２８は、リング部材２９を有している。チェーン８，９は、線状部材の一例である。
【００２３】
プレモールド絶縁体挿入治具１１は、金属製の板状の部材であり、その内面側に例えばゴム製の当て部材３０を有している。プレモールド絶縁体挿入治具１１と当て部材３０は、円形の開口部３１を有しており、この開口部３１の内径は、ガイド治具１４の外径よりも大きく、プレモールド絶縁体２の貫通孔２Ｈの内径より大きい。しかも、開口部３１の内径は、プレモールド絶縁体２の外径よりも小さい。これにより、当て部材３０はプレモールド絶縁体２の突き当て面２Ｋに対して突き当てることができる。プレモールド絶縁体挿入治具１１はリング部材３３，３４を有している。
一方、金属製のクリート４は、ネジによりケーブルシース１０３に対して着脱可能に固定されている。クリート４の突出部４Ｂ、４Ｃには、それぞれリング部材３５，３６を有している。
【００２４】
チェーン８のリング部材２３は、プレモールド絶縁体挿入治具１１のリング部材３３に連結されており、チェーン８のリング部材２５は、クリート４のリング部材３５に連結されている。同様にして、チェーン９のリング部材２７は、プレモールド絶縁体挿入治具１１のリング部材３４に連結されており、チェーン９のリング部材２９は、クリート４のリング部材３６に連結されている。
【００２５】
チェーン８，９，１０は、長手方向Ｌに沿って平行である。チェーン１０と、アイボルト１２と、導体引出部材３と、プレモールド絶縁体挿入治具１１と、電力ケーブル１００は、軸方向ＣＬに沿って配置されている。チェーン１０とアイボルト１２は、連結部材の一例である。
【００２６】
次に、図１を参照して、電力ケーブルにおける絶縁体の挿入工具１を用いて、プレモールド絶縁体２を、電力ケーブル１００の絶縁被覆１０１に対して挿入する挿入方法を説明する。終端接続箱の場合には、電力ケーブル１００は垂直方向に配置される。
図１に示す導体引出部材３を用意して、導体引出部材３の内端部３Ｄの穴部３Ｆ内にはケーブル導体１０２を挿入して、内端部３Ｄを圧縮することで導体引出部材３の内端部３Ｄに対してケーブル導体１０２を固定する。
【００２７】
次に、ガイド治具１４が、好ましくは導体引出部材３とケーブル導体１０２の外周部分に取り付けられる。プレモールド絶縁体２とプレモールド絶縁体挿入治具１１が導体引出部材３の先端部３Ｂとテーパー部分１４を介して挿入される。その後、導体引出部材３の先端部３Ｂの雌ねじ部３Ｃに対してアイボルト１２の雄ねじ部１３をねじ込むことで、導体引出部材３に対してアイボルト１２を固定する。
【００２８】
図１に示す引っ張り方向Ｓは、プレモールド絶縁体２を、電力ケーブル１００の絶縁被覆１０１の外周面に対して挿入する方向を示している。張力付加方向Ｔは、引っ張り方向Ｓとは反対方向に沿って張力を予めかけておく方向である。
導体引出部材３は、チェーン１０とアイボルト１２を介して固定部材１７に連結され、導体引出部材３は、張力付加方向Ｔに沿って予め張力をかけておく。そして、挿入治具１１が、当て部材３０を介してプレモールド絶縁体２の突き当て部２Ｋに突き当てられ、チェーンブロック５，６を機械力で引っ張り方向Ｓに沿って引っ張りながら、挿入治具１１がプレモールド絶縁体２を電力ケーブル１００の絶縁被覆１０１の外周面に対して引っ張り方向Ｓに沿って挿入していく。
【００２９】
このようにすることで、たとえプレモールド絶縁体２の内径が絶縁被覆１０１の外径よりも小さく設定されていても、プレモールド絶縁体２は、電力ケーブル１００の絶縁被覆１０１に対して機械力を用いてスムーズに挿入できる。すなわち、導体引出部材３と電力ケーブル１００は、張力付加方向Ｔに沿って予め張力を掛けておき、チェーンブロック５，６を用いて引っ張り方向Ｓに沿って引っ張りながらプレモールド絶縁体２を電力ケーブル１００の絶縁被覆１０１に対して挿入する際には、電力ケーブル１００は引っ張り方向Ｓに移動することはない。従って、電力ケーブル１００が曲がったり軸方向ＣＬに沿って座屈するのを防止して、プレモールド絶縁体２をスムーズに電力ケーブル１００の絶縁被覆１０１に対して装着することができる。
【００３０】
（第２実施形態）
次に、図３を参照して、本発明の本発明の電力ケーブルにおける絶縁体の挿入工具の好ましい第２実施形態を説明する。
図３は、本発明の電力ケーブルにおける絶縁体の挿入工具の好ましい第２実施形態と、電力ケーブルを示している。
図３に示す電力ケーブルにおける絶縁体の挿入工具１Ｂは、図１に示す絶縁体の挿入工具１と比べると、張力付加部２１Ｂの構造と、絶縁体挿入部８０Ｂの構造が少し異なる。
【００３１】
図３に示す張力付加部２１Ｂでは、図１に示す導体引出部材３とガイド治具１４を用いるのに代えて、図３のガイド用部材５０が用いられる。図３の絶縁体挿入部８０Ｂには、図１のクリート４を用いない点が異なる。しかし、図３の絶縁体の挿入工具１Ｂのその他の構成要素は、図１の絶縁体の挿入工具１のその他の構成要素と実質的に同じであるので、同じ記号を付けて説明を用いる。
【００３２】
図３に示す電力ケーブルにおける絶縁体の挿入工具１Ｂは、電力ケーブルの終端接続箱あるいは中間接続箱に適用できる。終端接続箱の場合には、電力ケーブル１００は垂直方向に配置される。中間接続箱の場合には、電力ケーブル１００は水平に配置される。
【００３３】
図３に示すように、張力付加部２１Ｂのガイド用部材５０がケーブル導体１０２に対して固定される。ガイド用部材５０は、ほぼ円柱状の部材であり、テーパー部５１を有している。内端部５２の内部には穴部５３と、円周上に少なくとも２箇所の雌ねじ部５５が形成されている。ガイド用部材５０のテーパー部５１は雌ねじ部５４を有しており、この雌ねじ部５４には、アイボルト１２の雄ねじ部１３がねじ込まれる。また、雌ねじ部５５に止めねじ５６がねじ込まれる。
【００３４】
また、絶縁体挿入部８０Ｂのリング部材３５，３６は、架台等の構造物６０に取り付けられており、リング部材３５，３６はチェーン８，９のリング部材２５，２９にそれぞれ連結されている。
上述したチェーン１０と、アイボルト１２は、連結部材の一例であり、ガイド用部材５０の引き留め機構部２１Ｂを構成している。
【００３５】
次に、図３を参照して、電力ケーブルにおける絶縁体の挿入工具１Ｂを用いて、プレモールド絶縁体２を、電力ケーブル１００の絶縁被覆１０１に対して挿入する挿入方法を説明する。
図３に示すガイド用部材５０を用意して、ガイド用部材５０の内端部５２の穴部５３内にはケーブル導体１０２を挿入して、止めねじ５６をねじ込み、ケーブル導体１０２を押し付けることにより、ガイド用部材５０の内端部５２に対してケーブル導体１０２を固定する。なお、止めねじ５６の頭は、ガイド用部材５０の外周より凹になるように設計されている。
【００３６】
次に、プレモールド絶縁体２とプレモールド絶縁体挿入治具１１が、ガイド用部材５０のテーパー部５４により案内されながら挿入される。その後、ガイド用部材５０の先端部５１の雌ねじ部５４に対してアイボルト１２の雄ねじ部１３をねじ込むことで、ガイド用部材５０に対してアイボルト１２を固定する。
【００３７】
図３に示す引っ張り方向Ｓは、プレモールド絶縁体２を、電力ケーブル１００の絶縁被覆１０１に対して挿入する方向を示している。張力付加方向Ｔは、引っ張り方向Ｓとは反対方向に沿って張力をかけておく方向である。
【００３８】
ガイド用部材５０は、チェーン１０とアイボルト１２を介して固定部位１７に連結され、ガイド用部材５０は、張力付加方向Ｔに沿って張力をかけておく。そして、挿入治具１１は、当て部材３０を介してプレモールド絶縁体２の突き当て部２Ｋに突き当てられ、チェーンブロック５，６を機械力により引っ張り方向Ｓに沿って引っ張ることにより、挿入治具１１はプレモールド絶縁体２を電力ケーブル１００の絶縁被覆１０１に対して引っ張り方向Ｓに沿って挿入していく。
【００３９】
このようにすることで、たとえプレモールド絶縁体２の内径が絶縁被覆１０１の外径よりも小さく設定されていても、プレモールド絶縁体２は、電力ケーブル１００の絶縁被覆１０１に対してスムーズに挿入できる。すなわち、ガイド用部材５０と電力ケーブル１００は、張力付加方向Ｔに沿って予め張力を掛けておくので、チェーンブロック５，６を用いて引っ張り方向Ｓに沿って引っ張りながらプレモールド絶縁体２を電力ケーブル１００の絶縁被覆１０１に対して挿入する際に、電力ケーブル１００は引っ張り方向Ｓに移動することはない。従って、電力ケーブル１００が曲がったり軸方向ＣＬに沿って座屈するのを防止して、プレモールド絶縁体２をスムーズに電力ケーブル１００の絶縁被覆１０１に対して装着することができる。また、絶縁被覆１０１の装着後、止めねじ５６を緩めて、ガイド用部材５０を外して、ケーブル導体１０２を取り出すことができる。
【００４０】
（第３実施形態）
次に、図４を参照して、本発明の本発明の電力ケーブルにおける絶縁体の挿入工具の好ましい第３実施形態を説明する。
図４は、本発明の電力ケーブルにおける絶縁体の挿入工具の好ましい第３実施形態と、電力ケーブルを示している。
【００４１】
図４に示す電力ケーブルにおける絶縁体の挿入工具１Ｃは、図１に示す絶縁体の挿入工具１と比べると、図１に示す導体引出部材３とガイド治具１４を用いるのに代えて、図４に示す張力付加部２１Ｃの導体接続管７０とガイド治具７１が用いられている点が異なる。しかし、図４の絶縁体の挿入工具１Ｃのその他の構成要素は、図１の絶縁体の挿入工具１のその他の構成要素と実質的に同じであるので、同じ記号を付けて説明を用いる。図４に示す電力ケーブルにおける絶縁体の挿入工具１Ｃは、主に電力ケーブルの中間接続箱に適用できる。中間接続箱の場合には、電力ケーブル１００は水平に配置される。
【００４２】
図４に示すように、導体接続管７０は、円筒状の部材であり、先端部７３側の穴部７４と内端部７５側の穴部７６と中央の壁部７７を有している。壁部７７には雌ねじ部が形成されており、この雌ねじ部にはアイボルト１２の雄ねじ部１３がねじ込まれている。内端部７５側の穴部７６内には、ケーブル導体１０２がはめ込まれて圧縮されることで、導体接続管７０とケーブル導体１０２が固定されている。
ガイド治具７１は、好ましくは導体接続管７０とケーブル導体１０２の外周部を覆っており、テーパー部７１Ｔを有している。ガイド治具７１の外径と絶縁被覆１０１の外形は同じである。
上述したチェーン１０と、アイボルト１２は、導体接続管７０の引き留め機構部２１Ｃを構成している。
【００４３】
次に、図４を参照して、電力ケーブルにおける絶縁体の挿入工具１Ｃを用いて、プレモールド絶縁体２を、電力ケーブル１００の絶縁被覆１０１に対して挿入する挿入方法を説明する。
図４に示す導体接続管７０を用意して、導体接続管７０の穴部７６内にはケーブル導体１０２を挿入して、内端部７５を圧縮することで導体接続管７０の内端部７５に対してケーブル導体１０２を固定する。
【００４４】
次に、ガイド治具７１が、好ましくは導体接続管７０とケーブル導体１０２に外周部分に取り付けられる。プレモールド絶縁体２とプレモールド絶縁体挿入治具１１をガイド治具７１の先端部側に挿入する。その後、導体接続管７０の壁部７７の雌ねじ部に対してアイボルト１２の雄ねじ部１３をねじ込むことで、導体接続管７０に対してアイボルト１２を固定する。
【００４５】
図１に示す引っ張り方向Ｓは、プレモールド絶縁体２を、電力ケーブル１００の絶縁被覆１０１に対して挿入する方向を示している。張力付加方向Ｔは、引っ張り方向Ｓとは反対方向に沿って張力をかけておく方向である。
【００４６】
導体接続管７０は、チェーン１０とアイボルト１２を介して固定部材１７に連結されており、導体接続管７０は、張力付加方向Ｔに沿って張力をかけておく。そして、挿入治具１１は、当て部材３０を介してプレモールド絶縁体２の突き当て部２Ｋに突き当てられ、チェーンブロック５，６を機械力を用いて引っ張り方向Ｓに沿って引っ張りながら、挿入治具１１がプレモールド絶縁体２を電力ケーブル１００の絶縁被覆１０１に対して引っ張り方向Ｓに沿って挿入していく。
【００４７】
このようにすることで、たとえプレモールド絶縁体２の内径が絶縁被覆１０１の外径よりも小さく設定されていても、プレモールド絶縁体２は、電力ケーブル１００の絶縁被覆１０１に対してスムーズに挿入できる。すなわち、導体接続管７０と電力ケーブル１００は、張力付加方向Ｔに沿って予め張力を掛けておくので、チェーンブロック５，６を用いて引っ張り方向Ｓに沿って引っ張りながらプレモールド絶縁体２を電力ケーブル１００の絶縁被覆１０１に対して挿入する際に、電力ケーブル１００は引っ張り方向Ｓに移動することはない。従って、電力ケーブル１００が曲がったり軸方向ＣＬに沿って座屈するのを防止して、プレモールド絶縁体２をスムーズに電力ケーブル１００の絶縁被覆１０１に対して装着することができる。
【００４８】
本発明の実施形態では、先端側であるケーブル導体は、架台に固定したパイプや天井等の固定部位１７に対して固定する必要があり、プレモールド絶縁体２を電力ケーブル１００の絶縁被覆１０１に対して挿入するためには、チェーンブロック５，６またはウインチは挿入方向に固定しておく必要がある。先端側であるケーブル導体は、張力をかけるためにウインチを使用するが、電力ケーブル１００は張力付加方向Ｔと引っ張り方向Ｓのいずれにも移動させることはないので、電力ケーブルは固定され、電力ケーブル側に台車等の用意は不要である。
【００４９】
本発明の電力ケーブルにおける絶縁体の挿入工具は、電力ケーブルのケーブル導体と、ケーブル導体から離れた位置にある固定部位との間を連結して、電力ケーブルに対して張力付加方向に沿って張力をかける張力付加部と、張力付加方向とは反対方向の引っ張り方向に沿って前記絶縁体を引っ張ることで、電力ケーブルの前記絶縁被覆の外周面に対して絶縁体を挿入するための絶縁体挿入部と、を備える。これにより、絶縁体を電力ケーブルに挿入する際に、電力ケーブルが曲がったり軸方向に沿って座屈するのを防止してスムーズに絶縁体を電力ケーブルに装着することができ、絶縁体の装着作業の効率を上げることができる。
【００５０】
張力付加部は、ケーブル導体に固定された導体引出部材と、導体引出部材と固定部位を接続する連結部材と、導体引出部材を覆って絶縁体挿入部を案内するガイド治具と、を備える。これにより、ケーブル導体を介して電力ケーブルに張力を確実に与えることで電力ケーブルが軸方向に移動するのを防ぎ、ガイド治具は、絶縁体挿入部を確実に案内することができるので、電力ケーブルにおける絶縁体の挿入作業が効率良く行える。
【００５１】
張力付加部は、ケーブル導体に固定されたガイド用部材と、ガイド用部材と固定部位を接続する連結部材と、を備える。これにより、ケーブル導体を介して電力ケーブルに張力を確実に与えることで電力ケーブルが軸方向に移動するのを防ぐので、電力ケーブルにおける絶縁体の挿入作業が効率良く行える
【００５２】
張力付加部は、ケーブル導体に固定された導体接続管と、導体接続管と固定部位を接続する連結部材と、導体接続管を覆って絶縁体挿入部を案内するガイド治具と、を備える。これにより、ケーブル導体を介して電力ケーブルに張力を確実に与えることで電力ケーブルが軸方向に移動するのを防ぎ、ガイド治具は、絶縁体挿入部を確実に案内することができるので、電力ケーブルにおける絶縁体の挿入作業が効率良く行える。
【００５３】
絶縁体挿入部は、絶縁体に突き当てられる挿入治具と、挿入治具を引っ張り方向に沿って引っ張る線状部材と、を備えることを特徴とする。これにより、挿入治具は絶縁体に突き当てられるので、絶縁体は挿入方向に確実に挿入できる。
張力付加部の連結部材は、アイボルトと、アイボルトと前記固定部位との間を接続するチェーンとを有することを特徴とする。これにより、簡単な構造の連結部材が用意できる。
本発明では、大きなサイズの電力ケーブルだけでなく、小さなサイズの電力ケーブルに対しても絶縁体を装着できる。
【００５４】
ところで、本発明は、上記実施形態に限定されず種々の変形例を採用できる。
例えば、図示例では、絶縁体挿入部は２本のチェーン８，９を用いているが、３本以上のチェーンを用いることもできる。線状部材として金属チェーン８，９，１０を用いているが、これ代えて金属製のワイヤを用いることができる。線状部材としては、引っ張り力が加わっても伸びの少ない材質のものを使用するのが望ましい。
【図面の簡単な説明】
【００５５】
【図１】本発明の電力ケーブルにおける絶縁体の挿入工具の好ましい第１実施形態を示す図である。
【図２】図１に示すプレモールド絶縁体の例を示す斜視図である。
【図３】本発明の好ましい第２実施形態を示す図である。
【図４】本発明の好ましい第３実施形態を示す図である。
【符号の説明】
【００５６】
１，１Ｂ、１Ｃ          絶縁体の挿入工具
２                      プレモールド絶縁体（絶縁体の一例）
３                      導体引出部材
４                      クリート
・  チェーン（線状部材の一例）
１０                    チェーン（連結部材の一例）
１１                    プレモールド絶縁体挿入治具
１２                    アイボルト（連結部材の一例）
１４                    ガイド治具
１７                    固定部位
２１，２１Ｂ、２１Ｃ    張力付加部
５０                    ガイド用部材
７０                    導体接続管
８０，８０Ｂ            絶縁体挿入部
１００                  電力ケーブル
１０１                  絶縁被覆
１０２                  ケーブル導体
Ｔ                      張力付加方向
Ｓ                      引っ張り方向
【図１】
2009232572.tif 000003
【図２】
2009232572.tif 000004
【図３】
2009232572.tif 000005
【図４】
2009232572.tif 000006